(57)【要約】【課題】対話型の感知学習装置を提供する。【解決手段】複数の感知部材及びプラットフォームを含む。各感知部材の少なくとも１つの表面には感知コードを有する。プラットフォームはユーザーインターフェース、感知モジュール、認識モジュール、及び処理モジュールを備える。ユーザーインターフェースは、ユーザーに少なくとも１つの感知部材を載置させるための感知領域を有する。感知モジュールは少なくとも１つの感知部材が感知領域に載置されると、少なくとも１つの感知部材の感知コードを感知させる。認識モジュールは少なくとも１つの感知部材の感知コードに基き、少なくとも１つの感知部材の識別データ及び位置データを認識させ、認識命令を発信させる。処理モジュールは認識命令に基きデータベースから対応するメディア再生データを抽出し、メディア再生データをユーザーインターフェースに伝送させて再生させる。【選択図】図１
2015135412.tif 000002
【特許請求の範囲】
【請求項１】
少なくとも１つの表面には感知コードを有する複数の感知部材と、
プラットフォームとを備え、
前記プラットフォームは、
ユーザーが前記少なくとも１つの感知部材を載置させるための感知領域を有するユーザーインターフェースと、
前記少なくとも１つの感知部材を前記感知領域に載置させると、前記少なくとも１つの感知部材の前記感知コードを感知させる感知モジュールと、
前記少なくとも１つの感知部材の前記感知コードに基き、前記少なくとも１つの感知部材の識別データ及び位置データを認識し、認識命令を発信する認識モジュールと、
前記認識命令に基きデータベースから対応するメディア再生データを取り出し、前記メディア再生データを前記ユーザーインターフェースに伝送させて再生させる処理モジュールを更に含むことを特徴とする、
対話型の感知学習装置。
【請求項２】
前記感知部材は文字カード或いは積み木であることを特徴とする、請求項１に記載の対話型の感知学習装置。
【請求項３】
前記感知コードは光学識別コード（Ｏｐｔｉｃａｌ  Ｉｄｅｎｔｉｆｉｃａｔｉｏｎ、ＯＩＤ）であり、印刷により前記感知部材の少なくとも１つの表面に形成されることを特徴とする、請求項１に記載の対話型の感知学習装置。
【請求項４】
前記ユーザーインターフェースは、前記メディア再生データを再生させる再生ユニットを更に備えることを特徴とする、請求項１に記載の対話型の感知学習装置。
【請求項５】
前記感知モジュールは前記ユーザーインターフェースの前記感知領域の下方に設置され、また、前記感知モジュールは、複数の感知素子を有し、前記感知素子はその軸線方向に沿い間隔を空けて分布されて設置される可動棒と、前記可動棒を駆動させ駆動方向に沿い移動させ、これら前記感知素子に前記感知領域上の前記少なくとも１つの感知部材の感知コードを感知させてスキャンさせ、前記駆動方向は前記軸線方向にほぼ垂直になる駆動部を更に備えることを特徴とする、請求項１に記載の対話型の感知学習装置。
【請求項６】
各前記感知素子は相補性金属酸化膜半導体（ＣＭＯＳ）映像感知器であることを特徴とする、請求項５に記載の対話型の感知学習装置。
【請求項７】
前記プラットフォームは、問題を出題する出題モジュールを更に備え、ユーザーは前記感知領域に前記少なくとも１つの感知部材を載置させることで回答とすることを特徴とする、請求項１に記載の対話型の感知学習装置。
【請求項８】
前記ユーザーインターフェースは、前記出題モジュールに電気的に接続される出題ユニットを更に備えることを特徴とする、請求項７に記載の対話型の感知学習装置。
【請求項９】
前記出題ユニットは出題キーを更に備え、ユーザーが前記出題キーを選んで押すと、前記出題ユニットは出題命令を前記出題モジュールに伝送させ、前記出題モジュールは前記データベースから問題を選択することを特徴とする、請求項８に記載の対話型の感知学習装置。
【請求項１０】
前記出題ユニットは確認キーを更に備え、ユーザーが前記確認キーを押すと、前記出題ユニットは確認指令を前記出題モジュールに伝送させ、前記出題モジュールは前記処理モジュールが抽出した前記メディア再生データが問題の正解であるか判読し確認することを特徴とする、請求項８に記載の対話型の感知学習装置。
【発明の詳細な説明】
【技術分野】
【０００１】
本発明は、感知コードを有する感知物の載置及び感知機制により、ユーザーの学習意欲を高めユーザーの学力レベルを測る対話型の感知学習装置に関する。
【背景技術】
【０００２】
従来の感知学習装置は一般的に学習用感知ペンにより感知学習教材中の感知部材を選択させ、教材の音声ファイルを再生させる。
【発明の概要】
【発明が解決しようとする課題】
【０００３】
しかしながら、前述した従来の技術では、単調で一方的にユーザーに学習内容を提供するのみであり、ユーザーの学力レベル及び学習効果を即座に計測出来ない。また、前述の学習機制では幼児や就学前児童に効果的に使用出来ない。
【０００４】
そこで、本発明者は上記の欠点が改善可能と考え、鋭意検討を重ねた結果、合理的かつ効果的に課題を改善する本発明の提案に到った。
【０００５】
本発明は、このような従来の問題に鑑みてなされたものである。上記課題解決のため、本発明は、対話型の感知学習装置を提供することを主目的とする。
【課題を解決するための手段】
【０００６】
上述した課題を解決し、目的を達成するために、本発明に係る対話型の感知学習装置は、少なくとも１つの表面には感知コードを有する複数の感知部材と、プラットフォームを備え、前記プラットフォームは、ユーザーが前記少なくとも１つの感知部材を載置させるための感知領域を有するユーザーインターフェースと、前記少なくとも１つの感知部材を前記感知領域に載置させると、前記少なくとも１つの感知部材の前記感知コードを感知させる感知モジュールと、前記少なくとも１つの感知部材の前記感知コードに基き、前記少なくとも１つの感知部材の識別データ及び位置データを認識し、認識命令を発信する認識モジュールと、前記認識命令に基きデータベースから対応するメディア再生データを取り出し、前記メディア再生データを前記ユーザーインターフェースに伝送させて再生させる処理モジュールを更に含むことを特徴とする。
【発明の効果】
【０００７】
本発明によれば、インタラクティブ式の感知学習環境により、ユーザーの学習意欲を高め、ユーザーの学力レベル及び学習効果を有効的に測定する。
【図面の簡単な説明】
【０００８】
【図１】本発明の第１実施形態による対話型の感知学習装置を説明する機能模式図である。
【図２】本発明の第１実施形態による対話型の感知学習装置の感知部材及びプラットフォームを説明する使用の概略図である。
【図３】本発明の第１実施形態のプラットフォーム及び感知モジュールを説明する一部の傾斜の概略図である。
【図４】本発明の第２実施形態による対話型の感知学習装置を説明する機能模式図である。
【図５】本発明の第２実施形態による対話型の感知学習装置の感知部材及びプラットフォームを説明する使用の概略図である。
【発明を実施するための形態】
【０００９】
以下に図面を参照して、本発明を実施するための形態について、詳細に説明する。なお、本発明は、以下に説明する実施形態に限定されるものではない。
【００１０】
（第１実施形態）
以下、第１実施形態を図１〜３に基づいて説明する。図１は本発明の第１実施形態による対話型の感知学習装置１０００を説明する機能模式図である。
対話型の感知学習装置１０００は複数の感知部材１００及びプラットフォーム２００を備える。各感知部材１００の少なくとも１つの表面には感知コード１１０を有する。プラットフォーム２００はユーザーインターフェース２１０、感知モジュール２２０、認識モジュール２３０、及び処理モジュール２４０で構成される。ユーザーインターフェース２１０はユーザーが少なくとも１つの感知部材１００を載置するための感知領域２１２を有する。
感知モジュール２２０は少なくとも１つの感知部材１００が感知領域２１２に載置されると、少なくとも１つの感知部材１００の感知コード１１０を感知させる。認識モジュール２３０は少なくとも１つの感知部材１００の感知コード１１０に基き、少なくとも１つの感知部材１００の識別データ及び位置データを認識させ、認識命令を発信させる。処理モジュール２４０は認識命令に基きデータベース３００から対応するメディア再生データを抽出し、メディア再生データをユーザーインターフェース２１０に伝送させて再生させる。
【００１１】
言わば、感知部材１００は文字カード或いは積み木である。例えば、図１に示す感知部材１００ａ〜１００ｃは文字カードであり、図、文字、或いは数字が表示されており、感知部材１００ａ〜１００ｃの表面にはそれぞれ対応する感知コード１１０ａ〜１１０ｃを有し、特定の図に対応する。
本実施形態では、感知コードは光学識別コード（Ｏｐｔｉｃａｌ  Ｉｄｅｎｔｉｆｉｃａｔｉｏｎ、ＯＩＤ）であり、印刷により感知部材１００の表面上に形成され、図中に隠されて肉眼では見難いため、感知部材１００の各表面には感知コードをそれぞれ有し、対応する特定の図及び識別データを表示させる。
【００１２】
図２は本発明の第１実施形態による対話型の感知学習装置の感知部材１００及びプラットフォーム２００を説明する使用の概略図である。
例えば、ユーザーが感知部材１００ａ〜１００ｃをプラットフォーム２００の感知領域２１２に載置させると、感知モジュール２２０は感知部材１００ａ〜１００ｃの感知コード１１０ａ〜１１０ｃを感知させる。続いて、認識モジュール２３０は感知した感知コード１１０ａ〜１１０ｃに基き、感知コード１１０ａ〜１１０ｃにそれぞれ表示される文字“Ｄ”、“Ｏ”、“Ｇ”等の識別データを認識させ、感知部材１００ａ〜１００ｃの間の相対位置を認識させ、単語の“ＤＯＧ”等の認識命令を発信させる。
また、処理モジュール２４０は認識命令に基きデータベース３００から対応する単語の“ＤＯＧ”の音声ファイル  、説明ファイル及び映像ファイル等のメディア再生データを抽出する。データベースは内蔵メモリー、外付けメモリーカード、或いはリモートサーバー等であり、処理モジュール２４０は抽出されたメディア再生データをユーザーインターフェース２１０に伝送させて再生させる。
本実施形態によれば、ユーザーインターフェース２１０は再生ユニット２１４を更に備え、処理モジュール２４０が伝送させたメディア再生データを再生させる。また、再生ユニットはスピーカー２１５及び表示装置２１６を有し、メディア再生データの音声及び映像を再生させる。例えば、表示装置２１６はＬＥＤ表示灯や液晶表示装置であり、使用状態やメディア再生データに基き対応する文字、図、映像等を表示させる。
【００１３】
図３は本発明の第１実施形態のプラットフォーム２００及び感知モジュール２２０を説明する一部の傾斜の概略図である。
感知モジュール２２０は感知領域２１２の下方に配置され、感知モジュール２２０は可動棒２２２及び駆動部２２４を備える。可動棒２２２は複数の感知素子２２３を有し、感知素子２２３は可動棒２２２の軸線方向に沿い間隔を空けて分布されて設置される。
本実施形態によると、感知素子２２３は相補性金属酸化膜半導体（ＣＭＯＳ）映像感知器である。然しながら、駆動部２２４は可動棒２２２を駆動させて軸線方向にほぼ垂直になる駆動方向に沿い移動させることで、感知素子２２３は感知領域２１２に載置される全ての感知部材１００ａ〜１００ｃの感知コード１１０ａ〜１１０ｃをスキャンし感知させる。駆動部２２４はサーボモーター、ステッピングモーター、またはリニアモーターである。
【００１４】
（第２実施形態）
次は本発明の第２実施形態の構成を図４と図５に示す。図４及び図５は本発明の第２実施形態による対話型の感知学習装置１０００を説明する機能模式図とプラットフォーム２００の使用概略図である。
プラットフォーム２００は出題モジュール２５０を更に備え、問題を出題し、ユーザーは感知部材１００を感知領域２１２に載置させて回答とする。このほか、ユーザーインターフェース２１０は出題ユニット２１７を更に備え、ユーザーが自分で選択した出題命令を出題モジュール２５０に伝送させ、出題モジュール２５０はデータベース３００から問題を選出する。
【００１５】
図５に示すように、出題ユニット２１７は出題キー２１８を更に備え、ユーザーが出題キー２１８を押すと、出題ユニット２１７は出題命令を出題モジュール２５０に伝送させ、出題モジュール２５０はデータベース３００から問題を選出する。
然しながら、他の実施形態では、再生ユニット２１４は問題を再生させてもよい。例えば、スピーカー２１５により“ＤＯＧのスペルを選んで下さい。”等の音声を再生させる。
【００１６】
また、出題ユニット２１７は確認キー２１９を更に備え、ユーザーが確認キー２１９を押すと、出題ユニット２１７は確認指令を出題モジュール２５０に伝送させ、出題モジュール２５０は処理モジュール２４０が抽出したメディア再生データが問題の正解か判読し確認する。
そして、この好ましい実施形態では、出題モジュール２５０が判読し確認したメディア再生データが問題の正解である場合、再生ユニット２１４はメディア再生データを再生し、例えばスピーカー２１５で“ＤＯＧ、すごーい、正解。”等の語句及び拍手等のＢＧＭを再生させる。
【００１７】
なお、本発明は前述した実施の形態のみに限定されるものではなく、本発明の要旨を逸脱しない範囲において種々の変更が可能であることは勿論である。
【符号の説明】
【００１８】
１０００  対話型の感知学習装置
１００    感知部材
１００ａ  感知部材
１００ｂ  感知部材
１００ｃ  感知部材
１１０    感知コード
１１０ａ  感知コード
１１０ｂ  感知コード
１１０ｃ  感知コード
２００    プラットフォーム
２１０    ユーザーインターフェース
２１２    感知領域
２１４    再生ユニット
２１５    スピーカー
２１６    表示装置
２１７    出題ユニット
２１８    出題キー
２１９    確認キー
２２０    感知モジュール
２２２    可動棒
２２３    感知素子
２２４    駆動部
２３０    認識モジュール
２４０    処理モジュール
３００    データベース
【図１】
2015135412.tif 000003
【図２】
2015135412.tif 000004
【図３】
2015135412.tif 000005
【図４】
2015135412.tif 000006
【図５】
2015135412.tif 000007